(57)【要約】【課題】  効率よくアンカーボルトの補強が可能なアンカー補強構造、アンカー補強方法およびアンカー補強部材を提供する。【解決手段】  補強部材１１は、軸部材１３と固定部材１５とからなる。軸部材１３は、一方の端部に拡径部が設けられ、他方の端部に雄ねじ部が設けられる。拡径部と雄ねじ部との間が軸部となる。なお、軸部の径は、雄ねじ部の谷部の径よりも小さい。固定部材１５は、内部に軸部材１３を収容可能である。固定部材１５の一方の端部には、雄ねじ部および軸部を挿通可能な孔２５が形成される。拡径部は、アンカーボルト９のねじ部９ａと接合される。この状態で、軸部材１３を覆うように固定部材１５が配置され、固定部材１５の孔２５から、雄ねじ部が上方に突出する。さらに、雄ねじ部にはナット１７が設けられ、固定部材１５の上部に固定される。【選択図】図２
2019035271.tif 000002
【特許請求の範囲】
【請求項１】
アンカーの補強構造であって、
アンカーボルトと、
前記アンカーボルトの上部に接合された補強部材と、
を具備し、
前記補強部材は、軸部材と、前記軸部材を内部に収容可能な固定部材と、を具備し、
前記軸部材と前記固定部材の固定面との間に隙間を空けて、前記軸部材の一方の端部が前記アンカーボルトと接合され、
前記固定部材は、一方の端部に、前記軸部材を挿通可能な孔を有し、
前記軸部材に前記固定部材を被せた状態で、前記固定部材の上部に突出する前記軸部材が、前記固定部材の上部で固定され、
前記軸部材は、前記軸部材と前記アンカーボルトとの接合部の破断する荷重よりも小さな荷重で塑性変形を開始することを特徴とするアンカー補強構造。
【請求項２】
前記アンカーボルトは、柱脚のベースプレートを固定するものであることを特徴とする請求項１記載のアンカー補強構造。
【請求項３】
前記軸部材の下端部には、前記軸部材の中間部の軸部の太さよりも太い拡径部が形成され、前記拡径部の下面側には開先が形成され、前記軸部材と前記アンカーボルトとが前記開先で溶接されることを特徴とする請求項１または請求項２に記載のアンカー補強構造。
【請求項４】
前記軸部材が塑性変形を開始する荷重は、前記アンカーボルトのねじ部が塑性変形を開始する荷重よりも大きく、前記アンカーボルトのねじ部が破断する荷重よりも小さいことを特徴とする請求項１から請求項３のいずれかに記載のアンカー補強構造。
【請求項５】
前記軸部材が塑性変形を開始する荷重は、前記アンカーボルトのねじ部が塑性変形を開始する荷重よりも小さいことを特徴とする請求項１から請求項３のいずれかに記載のアンカー補強構造。
【請求項６】
既設アンカーの補強方法であって、
軸部材と、前記軸部材を内部に収容可能な固定部材と、を具備するアンカー補強部材を用い、
アンカーボルトのナットを外す工程と、
前記軸部材の一方の端部を、前記アンカーボルトに溶接する工程と、
前記固定部材を、前記軸部材に被せて、前記軸部材の他方の端部を前記固定部材の上に突出させ、前記軸部材と前記固定部材とを前記固定部材の上部で固定する工程と、
を具備し、
前記軸部材と前記固定部材の固定面との間には隙間が空いており、前記軸部材は、前記アンカーボルトのねじ部が破断する荷重よりも小さい荷重で塑性変形を開始することを特徴とするアンカー補強方法。
【請求項７】
アンカーの補強部材であって、
軸部材と、
前記軸部材を内部に収容可能な固定部材と、
を具備し、
前記軸部材の下端部には、前記軸部材の中間部の太さよりも太い拡径部が形成され、前記拡径部の下面側には開先が形成され、
前記固定部材は、一方の端部に、前記軸部材を挿通可能な孔を有することを特徴とするアンカー補強部材。
【発明の詳細な説明】
【技術分野】
【０００１】
本発明は、例えば、柱脚のベースプレート等を固定するアンカーボルトに対する、アンカー補強構造、アンカー補強方法およびアンカー補強部材に関するものである。
【背景技術】
【０００２】
地震による構造体の倒壊等を防ぐため、柱等の構造体に対しては、所定以上の耐震強度が要求されている。しかし、現在の耐震基準となる前に建設された構造体には、現在のような厳しい耐震強度が要求されていなかったため、古い構造体は、現在の耐震基準を満たしていない場合がある。しかし、柱等の構造体のすべてを新たに再構築するのは時間もコストもかかる。
【０００３】
このような、構造体の補強方法として、例えば、既存柱の柱脚部の周囲にコンクリートを打設して、鉄筋コンクリート根巻き部を構築する方法がある。しかし、柱周りにコンクリートを施工するため、鉄筋、型枠工事といった施工手間が多く発生し、かつコンクリートの分だけ柱の寸法が大きくなるため、建物の利便性を阻害する。
【０００４】
一方、柱脚等の構造体は、通常、基礎や地盤に対してアンカーボルトによって固定されている（例えば特許文献１）。
【先行技術文献】
【特許文献】
【０００５】
【特許文献１】特開２００６−１０４７８０号公報
【発明の概要】
【発明が解決しようとする課題】
【０００６】
アンカーボルトの強度や変形能力が十分でないと、早期にアンカーボルトの破断等によって構造体の転倒などのおそれがある。このため、構造体の補強には、アンカーボルトの補強が必要な場合がある。特に、古い年代の鉄骨造りの露出柱脚に使われているアンカーボルトは、アンカーボルトの軸部が十分に塑性変形する前に、ねじ部が破断を起こすものが多く、柱脚の変形能力が乏しいものが多い。
【０００７】
本発明は、このような問題に鑑みてなされたもので、効率よくアンカーボルトの補強が可能なアンカー補強構造、アンカー補強方法およびアンカー補強部材を提供することを目的とする。
【課題を解決するための手段】
【０００８】
前述した目的を達成するため、第１の発明は、アンカーの補強構造であって、アンカーボルトと、前記アンカーボルトの上部に接合された補強部材と、を具備し、前記補強部材は、軸部材と、前記軸部材を内部に収容可能な固定部材と、を具備し、前記軸部材と前記固定部材の固定面との間に隙間を空けて、前記軸部材の一方の端部が前記アンカーボルトと接合され、前記固定部材は、一方の端部に、前記軸部材を挿通可能な孔を有し、前記軸部材に前記固定部材を被せた状態で、前記固定部材の上部に突出する前記軸部材が、前記固定部材の上部で固定され、前記軸部材は、前記軸部材と前記アンカーボルトとの接合部の破断する荷重よりも小さな荷重で塑性変形を開始することを特徴とするアンカー補強構造である。
【０００９】
前記アンカーボルトは、柱脚のベースプレートを固定するものであってもよい。
【００１０】
前記軸部材の下端部には、前記軸部材の中間部の軸部の太さよりも太い拡径部が形成され、前記拡径部の下面側には開先が形成され、前記軸部材と前記アンカーボルトとが前記開先で溶接されてもよい。
【００１１】
前記軸部材が塑性変形を開始する荷重は、前記アンカーボルトのねじ部が塑性変形を開始する荷重よりも大きく、前記アンカーボルトのねじ部が破断する荷重よりも小さくてもよい。
【００１２】
前記軸部材が塑性変形を開始する荷重は、前記アンカーボルトのねじ部が塑性変形を開始する荷重よりも小さくてもよい。
【００１３】
第１の発明によれば、アンカーボルトの上部に補強部材が取り付けられ、軸部材が、アンカーボルトとの接合部が破断する荷重よりも小さな荷重で塑性変形を開始するため、地震等の際に、アンカーボルトとの接合部が破断を起こす前に十分な変形量を確保することができる。
【００１４】
このような補強部材は、柱脚のベースプレートを固定するアンカーボルトを補強するのに対して特に有効である。
【００１５】
また、軸部材の下端部に、軸部材の中間部の軸部の太さよりも太い拡径部を形成し、拡径部の下面側に開先を形成することで、アンカーボルトと軸部材とを容易に溶接することができる。この際、軸部材の中間部の断面積よりも、接合部の溶接面積を大きくすることができるため、アンカーボルトとの接合部が破断する荷重よりも小さな荷重で軸部材を塑性変形させることができる。
【００１６】
なお、軸部材が塑性変形を開始する荷重が、アンカーボルトのねじ部が塑性変形を開始する荷重よりも大きく、ねじ部が破断する荷重よりも小さければ、高い強度とアンカーの破断防止の効果を両立することができる。
【００１７】
また、軸部材が塑性変形を開始する荷重が、アンカーボルトのねじ部が塑性変形を開始する荷重よりも小さければ、軸部材の強度設計が容易である。
【００１８】
第２の発明は、既設アンカーの補強方法であって、軸部材と、前記軸部材を内部に収容可能な固定部材と、を具備するアンカー補強部材を用い、アンカーボルトのナットを外す工程と、前記軸部材の一方の端部を、前記アンカーボルトに溶接する工程と、前記固定部材を、前記軸部材に被せて、前記軸部材の他方の端部を前記固定部材の上に突出させ、前記軸部材と前記固定部材とを前記固定部材の上部で固定する工程と、を具備し、前記軸部材と前記固定部材の固定面との間には隙間が空いており、前記軸部材は、前記アンカーボルトのねじ部が破断する荷重よりも小さい荷重で塑性変形を開始することを特徴とするアンカー補強方法である。
【００１９】
第２の発明によれば、既設のアンカーボルトを容易に補強することができる。
【００２０】
第３の発明は、アンカーの補強部材であって、軸部材と、前記軸部材を内部に収容可能な固定部材と、を具備し、前記軸部材の下端部には、前記軸部材の中間部の太さよりも太い拡径部が形成され、前記拡径部の下面側には開先が形成され、前記固定部材は、一方の端部に、前記軸部材を挿通可能な孔を有することを特徴とするアンカー補強部材である。
【００２１】
第３の発明によれば、アンカーボルトを容易に補強することが可能な補強部材を得ることができる。
【発明の効果】
【００２２】
本発明によれば、効率よくアンカーボルトの補強が可能なアンカー補強構造、アンカー補強方法およびアンカー補強部材を提供することができる。
【図面の簡単な説明】
【００２３】
【図１】アンカー補強構造１を示す側面図。
【図２】アンカー補強構造１の拡大断面図。
【図３】補強部材１１の分解図。
【図４】既設の柱脚３を示す図。
【図５】ナット２７を外した状態を示す図。
【図６】軸部材１３を取り付けた状態を示す図。
【図７】固定部材１５を配置して、ナット１７を取り付ける状態を示す図。
【図８】アンカー補強構造１ａの拡大断面図。
【図９】柱脚３が変位した状態を示す図。
【図１０】図９のＦ部の拡大断面図。
【図１１】荷重と変形量の関係を示す図。
【発明を実施するための形態】
【００２４】
以下、本発明の実施の形態にかかるアンカー補強構造１について説明する。図１は、アンカー補強構造１を示す側面図である。なお、以下の説明では、アンカー補強構造１は、柱脚３のベースプレート７を固定するアンカーボルト９に対する補強構造を示すが、本発明はこれに限られず、アンカーで固定される構造体であれば適用可能である。
【００２５】
柱脚３は、床５（例えば基礎）上に構築される。床５上には、ベースプレート７がアンカーボルト９で固定される。アンカーボルト９の上部には、補強部材１１が固定される。
【００２６】
図２は、図１のＡ部拡大断面図であり、図３は、補強部材１１の分解断面図である。補強部材１１は、軸部材１３と固定部材１５とからなる。図３に示すように、軸部材１３は、一方の端部（上端部）に雄ねじ部２１が設けられ、他方の端部（下端部）に拡径部２２が設けられる。拡径部２２と雄ねじ部２１との中間部が軸部２３となる。なお、拡径部２２は、軸部２３の太さよりも太い。また、軸部２３の径は、雄ねじ部２１の谷部の径および拡径部２２の径よりも小さい。
【００２７】
固定部材１５は、内部に軸部材１３を収容可能である。固定部材１５の一方の端部には、雄ねじ部２１および軸部２３を挿通可能な孔２５が形成される。
【００２８】
図２に示すように、軸部材１３の端部の拡径部２２は、アンカーボルト９のねじ部９ａと接合される。軸部材１３とアンカーボルト９とは、例えば、溶接やピン接合などで接合される。図示した例では、軸部材１３とアンカーボルト９とは、溶接部３１で接合される。すなわち、軸部材１３とアンカーボルト９とは、ねじ構造以外で接合される。この場合には、拡径部２２の下面に開先２９を設けることで、軸部材１３とアンカーボルト９とを容易に溶接することができる。なお、溶接部３１の溶接面積（アンカーボルト９の軸方向に垂直な断面であって、溶接ビードとアンカーボルト９との接合面の断面積）は、軸部２３の断面積よりも大きい。
【００２９】
この状態で、軸部材１３を覆うように固定部材１５が配置され、固定部材１５の孔２５から、雄ねじ部２１が上方に突出する。さらに、雄ねじ部２１にはナット１７が設けられ、固定部材１５の上部に固定される。
【００３０】
この際、軸部材１３（拡径部２２）の先端と、固定部材１５の固定面であるベースプレート７の上面との間には隙間が形成される。すなわち、軸部材１３は、固定部材１５の固定面とは接触しない。
【００３１】
なお、軸部材１３および固定部材１５は、例えば鋼製である。軸部材１３は、棒状の素材の端部にタップ加工によって雄ねじ部２１が形成され、軸部２３は、例えば、棒状の素材に対して切削等によって径を細くすればよい。
【００３２】
次に、補強部材１１を用いた、既設の柱脚の補強方法について説明する。図４は、既設の柱脚３を示す図である。前述したように、柱脚３は、床５上に設置される。柱脚３のベースプレート７は、床５に対してアンカーボルト９およびナット２７によって固定される。
【００３３】
この状態から、図５に示すように、ナット２７をアンカーボルト９から取り外す（図中矢印Ｃ）。したがって、アンカーボルト９のねじ部９ａがベースプレート７上に突出した状態となる。
【００３４】
次に、図６に示すように、ベースプレート７から突出するアンカーボルト９に軸部材１３を接合する。例えば、アンカーボルト９のねじ部９ａと軸部材１３の拡径部２２とを溶接部３１で溶接する。この際、前述したように、軸部材１３（拡径部２２）の下端とベースプレート７の上面との間には隙間が形成される。
【００３５】
次に、図７に示すように、軸部材１３に固定部材１５を被せる。この際、軸部材１３の雄ねじ部２１が、固定部材１５の孔２５に挿通され、固定部材１５の上方に突出する。さらに、固定部材１５の上方から、雄ねじ部２１にナット１７を取り付けて固定することで（図中矢印Ｄ）、アンカー補強構造１が構築される。なお、ナット１７は、アンカーボルト９を固定していたナット２７をそのまま用いてもよい。
【００３６】
なお、複数のアンカーボルト９が隣接する場合には、それぞれのアンカーボルト９に対して軸部材１３を取り付けた後、複数の孔２５が設けられた一つの固定部材１５を、複数の軸部材１３に一括して被せて、それぞれの軸部材１３をナット１７で固定してもよい。
【００３７】
また、図８に示すアンカー補強構造１ａのように、軸部材１３と固定部材１５とを溶接部３１ａで接合してもよい。この場合には、軸部材１３の上端部には、雄ねじ部２１を設けなくてもよい。このように、軸部材１３と固定部材１５とを接合可能であれば、その接合方法は特に限定されない。
【００３８】
次に、アンカー補強構造１の機能について説明する。図９は、地震の際に、柱脚３が傾いた状態（図中矢印Ｅ）を示す図であり、図１０は、図９のＦ部の拡大断面図である。地震によってベースプレート７が浮き上がろうとすると、アンカーボルト９および補強部材１１の軸部材１３には引張応力が付与される。
【００３９】
この際、軸部材１３の軸部２３の断面積は、雄ねじ部２１の谷部の断面積および、軸部材１３とアンカーボルト９との接合部（溶接部３１）の断面積よりも小さいため、雄ねじ部２１または溶接部３１が塑性変形を開始するよりも小さな荷重で軸部２３が塑性変形（伸び変形）する（図１０の矢印Ｈ）。
【００４０】
さらに、軸部２３は、アンカーボルト９のねじ部９ａが破断する荷重よりも小さな荷重で塑性変形を開始する。図１１は、各部の荷重と変形量との関係を示す図である。図中Ｉはアンカーボルト９（ねじ部９ａ）の挙動を示す図である。ねじ部９ａは、所定の荷重（図中Ｌ）で塑性変形を開始する。しかし、アンカーボルトの強度や変形能力が十分でないため、アンカーボルトの軸部が十分に塑性変形する前に、ねじ部が破断を起こす（図中Ｍ）。
【００４１】
これに対し、軸部材１３の軸部２３は、例えば図中Ｋのような挙動を示す。すなわち、軸部２３は、アンカーボルト９のねじ部９ａの破断する荷重よりも小さな荷重で塑性変形を開始する。このため、軸部２３が塑性変形可能な変形量範囲であれば、ねじ部９ａには、ねじ部９ａが破断するのに必要な荷重が付与されることがない。
【００４２】
このように、本実施形態では、軸部２３が優先的に塑性変形することで、アンカーボルト９が破断することを防止することができる。また、軸部２３が塑性変形を開始する荷重が、ねじ部９ａの破断する荷重よりもわずかに小さいのみであるため、小さな荷重で軸部２３が容易に塑性変形してしまうことを抑制することができる。このように、軸部２３が塑性変形を開始する荷重は、アンカーボルト９のねじ部９ａが塑性変形を開始する荷重よりも大きく、ねじ部９ａが破断する荷重よりも小さいことが望ましい。
【００４３】
ここで、柱脚３に許容される傾きは、１／３０ｒａｄ程度である。このため、ベースプレート７のサイズと、この傾きとから、必要な伸び量があらかじめ設定される。また、この際、軸部材１３とベースプレート７との隙間を、必要な伸び量以上としておくことで、確実に、軸部２３の伸びを許容することができる。
【００４４】
なお、軸部材１３の軸部２３は、例えば図中Ｊのような挙動であってもよい。すなわち、軸部２３は、アンカーボルト９のねじ部９ａが塑性変形を開始する荷重よりも小さな荷重で塑性変形を開始させてもよい。このようにしても、軸部２３が塑性変形可能な変形量範囲において、ねじ部９ａには、ねじ部９ａが破断するのに必要な荷重が付与されることがない。また、アンカーボルト９のねじ部９ａが塑性変形を開始する荷重よりも小さな荷重で塑性変形を開始させるための軸部２３の強度設計が容易である。
【００４５】
この場合には、前述した例と比較して、より小さ荷重で軸部２３が塑性変形を開始することとなるが、アンカーボルト９のねじ部９ａの塑性変形を防止することができるため、地震後に、軸部材１３を交換するのみで補修を完了することができる。
【００４６】
以上、本実施の形態によれば、簡易な作業でアンカー補強構造１を得ることができる。したがって、既設の柱脚３の補強も容易である。また、アンカー補強構造１は、柱脚３を固定するアンカーボルト９の破断を防止することができるため、柱脚３の転倒などを防止することができる。
【００４７】
また、地震後には、軸部材１３を交換することで、容易に補修を行うことができる。
【００４８】
また、軸部材１３の軸部２３の断面積が、雄ねじ部２１の谷部の断面積および溶接部３１の断面積よりも小さいため、軸部材１３の軸部２３を優先的に塑性変形させることができる。
【００４９】
また、軸部２３の塑性変形開始荷重が、アンカーボルト９のねじ部９ａが塑性変形を開始する荷重よりも大きく、ねじ部９ａが破断する荷重よりも小さければ、アンカーボルト９の破断の防止と、高い強度とを両立することができる。
【００５０】
また、軸部２３の塑性変形開始荷重が、アンカーボルト９のねじ部９ａが塑性変形を開始する荷重よりも小さければ、地震後にアンカーボルト９のねじ部９ａが変形することを防止することができる。
【００５１】
以上、添付図を参照しながら、本発明の実施の形態を説明したが、本発明の技術的範囲は、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【符号の説明】
【００５２】
１、１ａ………アンカー補強構造
３………柱脚
５………床
７………ベースプレート
９………アンカーボルト
９ａ………ねじ部
１１………補強部材
１３………軸部材
１５………固定部材
１７………ナット
２１………雄ねじ部
２２………拡径部
２３………軸部
２５………孔
２７………ナット
２９………開先
３１、３１ａ………溶接部
【図１】
2019035271.tif 000003
【図２】
2019035271.tif 000004
【図３】
2019035271.tif 000005
【図４】
2019035271.tif 000006
【図５】
2019035271.tif 000007
【図６】
2019035271.tif 000008
【図７】
2019035271.tif 000009
【図８】
2019035271.tif 000010
【図９】
2019035271.tif 000011
【図１０】
2019035271.tif 000012
【図１１】
2019035271.tif 000013